(57)【要約】【課題】  電源ＯＦＦ時の消費電力が極めて小さく、かつ電源ＯＦＦ時にメモリカードスロットへメモリカードを挿入すると電源がＯＮの状態になる電子機器を提供する。【解決手段】  電源スイッチＰＳを操作している間、電源スイッチＰＳの接点が構成されて電圧制御端子ＰＣがＧＮＤ（０Ｖ）に短絡される。第１の電源制御回路１は、電源装置１０の出力電圧が定格電圧４２Ｖであっても待機電圧３Ｖであっても動作し、第１のメモリカードスロット５にメモリカードが所定の挿入位置まで挿入されたことを検出して、電源制御端子ＰＣを所定時間だけ０Ｖに短絡し、第２の電源制御回路１１は、電源装置１０の出力電圧が定格電圧４２Ｖであっても待機電圧３Ｖであっても動作し、第２のメモリカードスロット１５にメモリカードが所定の挿入位置まで挿入されたことを検出して、電源制御端子ＰＣを所定時間だけ０Ｖに短絡する。【選択図】図１
2005165801.tif 000002
【特許請求の範囲】
【請求項１】
ハイインピーダンス状態で出力電圧が待機電圧となり、０Ｖに短絡されると出力電圧が定格電圧となる電圧制御端子を有する電源装置と、非操作時に前記電圧制御端子がハイインピーダンスとなり、操作時に前記電圧制御端子が０Ｖに短絡される如く前記電圧制御端子に接続されている電源スイッチと、前記電源装置の出力電圧が定格電圧である間のみ動作し、前記電源スイッチの操作状態を検出する電源スイッチ操作検出手段、及び前記電圧制御端子を制御して前記電源装置の出力電圧を制御する電源電圧制御手段を有し、前記電源装置の出力電圧が定格電圧である間は、前記電圧制御端子を０Ｖに短絡した状態を保持し、前記電源装置の出力電圧が定格電圧である間に前記電源スイッチが操作されたことを検出した時点で前記電圧制御端子をハイインピーダンスに保持し、前記電源装置の出力電圧が待機電圧である間は、前記電圧制御端子をハイインピーダンスに保持するマイコン制御装置とを備えた電子機器であって、
メモリカードに格納されている電子データを読み込む手段を有するメモリカードスロットと、
前記電源装置が出力する待機電圧以上の電圧で動作し、前記メモリカードスロットにメモリカードが所定の挿入位置まで挿入された時点から所定時間だけ前記電圧制御端子を０Ｖに短絡する回路構成を有する電源制御回路とを備えている、ことを特徴とした電子機器。
【請求項２】
請求項１において、複数の前記メモリカードスロットと、前記メモリカードスロット毎に設けられた複数の前記電源制御回路とを備えている、ことを特徴とした電子機器。
【請求項３】
請求項１又は２において、前記電源制御回路は、前記メモリカードスロットにメモリカードが挿入されている間、前記電源装置の出力電圧を出力するメモリカード検出回路と、該メモリカード検出回路の出力電圧を微分する微分回路と、該微分回路の出力電圧が一定の電圧以上である間、前記電圧制御端子を０Ｖに短絡する電源制御信号出力回路とを有している、ことを特徴とした電子機器。
【請求項４】
請求項３において、前記メモリカード検出回路は、コレクタが前記電源装置の出力電圧でプルアップされ、エミッタが０Ｖに接続されているメモリカード挿入状態出力用トランジスタを有し、前記メモリカードスロットにメモリカードが所定の挿入位置まで挿入されている間、前記メモリカード挿入状態出力用トランジスタは、ベース電流が遮断されてＯＦＦし、前記メモリカード挿入状態出力用トランジスタのコレクタのプルアップ電圧が前記微分回路へ出力される回路構成を有している、ことを特徴とした電子機器。
【請求項５】
請求項３又は４において、前記電源制御信号出力回路は、コレクタが前記電源装置の出力電圧でプルアップされ、エミッタが０Ｖに接続されている電源制御信号出力用トランジスタを有し、前記微分回路の出力電圧が一定の電圧以上である間、前記電源制御信号出力用トランジスタは、ベース電流が流れてＯＮし、前記電源制御信号出力用トランジスタのコレクタにダイオードを介して接続されている前記電圧制御端子が０Ｖに短絡される回路構成を有している、ことを特徴とした電子機器。
【請求項６】
請求項５において、前記電源制御信号出力回路は、前記メモリカードスロットからメモリカードを引き抜く際に前記電源制御信号出力用トランジスタのベース電流が流れないように前記電源制御信号出力用トランジスタのベース電流の電流方向を一方向に規制する電流方向規制用ダイオードを有している、ことを特徴とした電子機器。
【発明の詳細な説明】
【技術分野】
【０００１】
本発明は、メモリカードスロットを備えた電子機器に関する。
【背景技術】
【０００２】
メモリカードスロットを備えた電子機器の一例としては、メモリカードスロットを備えた記録装置が公知である。従来、インクジェット式記録装置等の一般的な記録装置は、パーソナルコンピュータ等の情報処理装置がデータ伝送可能に接続された状態で、情報処理装置から伝送される記録データを記録紙等の被記録材に記録することが可能な構成を成していた。しかし、近年、メモリカードスロットを備え、情報処理装置を介することなくメモリカードスロットに挿入されたメモリカードに格納されている記録データを直接被記録材に記録することが可能な記録装置が公知であり、広く普及しつつある（例えば、特許文献１参照）。
【０００３】
ところで、例えば、テレビに接続してテレビ番組を録画・再生する機能を有する一般的な家庭用のビデオテープレコーダは、ビデオテープレコーダが電源ＯＦＦの状態でビデオテープを挿入すると、自動的に電源ＯＮの状態になるのが一般的であり、非常に快適で便利である。一般的なビデオテープレコーダは、タイマー録画予約やリモコンでの操作に対応するために電子機器として電源ＯＦＦの状態でも内部のマイコン制御装置は動作している。そのため、マイコン制御装置がビデオカセットテープの挿入状態を検出し、ビデオカセットテープが挿入された際に電源がＯＦＦ状態である場合には、電源をＯＮ状態に制御するようになっている。
【０００４】
【特許文献１】特開２００２−２７３９７７号公報
【発明の開示】
【発明が解決しようとする課題】
【０００５】
例えば、前述した記録装置等のメモリカードスロットを備えた電子機器において、一般的なビデオテープレコーダと同様に、記録装置が電源ＯＦＦの状態でメモリカードスロットにメモリカードを挿入すると、自動的に電源がＯＮ状態になれば、非常に便利で快適であると言える。しかしながら、例えば、前述した記録装置のように、電源ＯＮの状態で使用している時間と比較して、電源ＯＦＦで使用しない時間の方が圧倒的に長いような電子機器においては、電源ＯＦＦ時の消費電力を一定の電力以下に抑える必要がある。そのため、一般的に留守録機能やリモコンによる操作が可能で、電源ＯＦＦ時にもマイコン制御装置を動作させておく必要があるビデオテープレコーダと異なり、一般的な記録装置は、電源ＯＦＦ時にマイコン制御装置を動作させておく必要がないことから、電源ＯＦＦ時には、マイコン制御装置が停止しているのが一般的である。したがって、このような電子機器において、電源がＯＦＦ状態である場合にマイコン制御装置でメモリカードの挿入状態を検出し、メモリカードが挿入された際にマイコン制御装置で電源をＯＮ状態に制御するために、電源ＯＦＦの状態でもマイコン制御装置を動作させておくと、電子機器の電源ＯＦＦ時の消費電力が大幅に増大するという問題が生じることになる。
【０００６】
本発明は、このような状況に鑑み成されたものであり、その課題は、電源ＯＦＦ時の消費電力が極めて小さく、かつ電源ＯＦＦ時にメモリカードスロットへメモリカードを挿入すると電源がＯＮの状態になる電子機器を提供することにある。
【課題を解決するための手段】
【０００７】
上記課題を達成するため、本発明の第１の態様は、ハイインピーダンス状態で出力電圧が待機電圧となり、０Ｖに短絡されると出力電圧が定格電圧となる電圧制御端子を有する電源装置と、非操作時に前記電圧制御端子がハイインピーダンスとなり、操作時に前記電圧制御端子が０Ｖに短絡される如く前記電圧制御端子に接続されている電源スイッチと、前記電源装置の出力電圧が定格電圧である間のみ動作し、前記電源スイッチの操作状態を検出する電源スイッチ操作検出手段、及び前記電圧制御端子を制御して前記電源装置の出力電圧を制御する電源電圧制御手段を有し、前記電源装置の出力電圧が定格電圧である間は、前記電圧制御端子を０Ｖに短絡した状態を保持し、前記電源装置の出力電圧が定格電圧である間に前記電源スイッチが操作されたことを検出した時点で前記電圧制御端子をハイインピーダンスに保持し、前記電源装置の出力電圧が待機電圧である間は、前記電圧制御端子をハイインピーダンスに保持するマイコン制御装置とを備えた電子機器であって、メモリカードに格納されている電子データを読み込む手段を有するメモリカードスロットと、前記電源装置が出力する待機電圧以上の電圧で動作し、前記メモリカードスロットにメモリカードが所定の挿入位置まで挿入された時点から所定時間だけ前記電圧制御端子を０Ｖに短絡する回路構成を有する電源制御回路とを備えている、ことを特徴とした電子機器である。
【０００８】
電子機器の電源装置は、出力電圧を切り換えるための電圧制御端子を有しており、電圧制御端子をハイインピーダンスにすると出力電圧が待機電圧となり、電圧制御端子を０Ｖにすると出力電圧が定格電圧となる。本発明の第１の態様における電子機器は、電源装置の出力電圧が定格電圧のときは、マイコン制御装置が動作して電源ＯＮの状態となり、電源装置の出力電圧が待機電圧のときは、マイコン制御装置が停止して見かけ上電源ＯＦＦの状態（電源装置は動作している）、つまり、電子機器としての消費電力を低下させた、いわゆる省電力モード（いわゆるスタンバイモードのことであり、ホットスタンバイ及びコールドスタンバイの両方を含むものとする）で動作している状態となる。電源スイッチは、非操作時に電圧制御端子がハイインピーダンスとなり、操作時に電圧制御端子が０Ｖに短絡される如く電圧制御端子に接続されているので、電源スイッチを操作することによって電源装置の出力電圧を定格電圧と待機電圧とで切り換えることができる。電源装置の出力電圧が待機電圧のときには、電子機器の電源がＯＦＦ状態になり、マイコン制御装置は停止した状態となっている。この状態から電源スイッチを所定時間だけ操作すると、電源スイッチを操作している間、電源装置の電圧制御端子が０Ｖに短絡され、電源装置の出力電圧が待機電圧から定格電圧に切り換わる。その間にマイコン制御装置は、定格電圧で動作を開始し、電圧制御端子を０Ｖに短絡させた状態で保持する。その後、電源スイッチが操作されていない状態になって、電源スイッチによる電圧制御端子の短絡経路が構成されない状態となるが、マイコン制御装置によって電圧制御端子が０Ｖに短絡した状態が保持される。それによって、電源装置の出力電圧が定格電圧で維持され、マイコン制御装置も動作し続けることになる。また、その状態から再度電源スイッチを操作すると、マイコン制御装置は、電源スイッチの操作状態を検出して、電源装置の電圧制御端子をハイインピーダンスに保持する。それによって、電源装置の出力電圧が待機電圧で維持され、マイコン制御装置の動作が停止した後も電圧制御端子はハイインピーダンス状態のままとなる。
【０００９】
電源制御回路は、電源装置の出力電圧が定格電圧であっても待機電圧であっても動作し、メモリカードスロットにメモリカードが所定の挿入位置まで挿入されたことを検出することができる回路構成を有している。また、電源制御回路は、メモリカードスロットにメモリカードが所定の挿入位置まで挿入された時点から所定時間だけ電圧制御端子を０Ｖに短絡する回路構成を有している。つまり、電源装置の出力電圧が待機電圧でマイコン制御装置が停止している状態において、電源スイッチを所定時間だけ操作すると電圧制御端子が０Ｖに短絡されて電源装置の出力電圧が定格電圧に切り換わるのと同様に、メモリカードスロットにメモリカードが所定の挿入位置まで挿入すると、電圧制御端子が０Ｖに短絡されて電源装置の出力電圧が定格電圧に切り換わる。そして、電源装置の出力電圧が定格電圧に切り換わった後は、電源スイッチを所定時間操作した場合と同様に、マイコン制御装置が定格電圧で動作を開始し、電圧制御端子を０Ｖに短絡させた状態で保持する。その後、メモリカードスロットにメモリカードが所定の挿入位置まで挿入された時点から所定時間が経過し、電圧制御端子が電源制御回路によって０Ｖに短絡されない状態になるが、マイコン制御装置によって電圧制御端子が０Ｖに短絡した状態が保持される。それによって、電源装置の出力電圧が定格電圧で維持され、マイコン制御装置も動作し続けることになる。
【００１０】
そして、本発明の第１の態様における電子機器は、電源装置の電圧制御端子に電源スイッチ、及び電源制御回路の両者が接続されている。したがって、電源装置の出力電圧が待機電圧でマイコン制御装置が停止して見かけ上は電源ＯＦＦ状態の電子機器において、電源スイッチを所定時間操作すること、或いは、メモリカードスロットにメモリカードを所定の挿入位置まで挿入することのいずれによっても電源をＯＮ状態にすることができる。電源スイッチを所定時間操作すること、或いは、メモリカードスロットにメモリカードを所定の挿入位置まで挿入することによって、電源装置の電圧制御端子が所定時間だけ０Ｖに短絡され、電源装置の出力電圧が待機電圧から定格電圧へ切り換わり、停止していたマイコン制御装置の動作が開始されて電子機器が電源ＯＮ状態となり、その後は、マイコン制御装置によって電圧制御端子を０Ｖに短絡させた状態が保持されて、電子機器の電源ＯＮ状態が維持される。
【００１１】
これにより、本発明の第１の態様に示した電子機器によれば、電源装置の出力電圧が待機電圧でマイコン制御装置が停止して見かけ上は電源ＯＦＦ状態の電子機器において、電源スイッチを所定時間操作すること、或いは、メモリカードスロットにメモリカードを所定の挿入位置まで挿入することのいずれによっても電源ＯＮ状態にすることができるので、電子機器の電源ＯＦＦ時の消費電力が極めて小さく、かつ電源ＯＦＦ時にメモリカードスロットへメモリカードを挿入することによって、電子機器の電源がＯＮ状態になるようにすることができるという作用効果が得られる。
【００１２】
本発明の第２の態様は、前述した第１の態様において、複数の前記メモリカードスロットと、前記メモリカードスロット毎に設けられた複数の前記電源制御回路とを備えている、ことを特徴とした電子機器である。
【００１３】
本発明の第２の態様における電子機器は、複数のメモリカードスロット毎に上述した電源制御回路を備えており、電源装置の電圧制御端子には、電源スイッチ、及び複数の電源制御回路が接続されているので、電源装置の出力電圧が待機電圧でマイコン制御装置が停止して見かけ上は電源ＯＦＦ状態の電子機器において、電源スイッチを所定時間操作すること、或いは、複数のメモリカードスロットのいずれかにメモリカードを所定の挿入位置まで挿入することのいずれによっても電源をＯＮ状態にすることができる。電源スイッチを所定時間操作すること、或いは、複数のメモリカードスロットのいずれかにメモリカードを所定の挿入位置まで挿入することのいずれによっても電源装置の電圧制御端子が所定時間だけ０Ｖに短絡され、電源装置の出力電圧が待機電圧から定格電圧へ切り換わり、停止していたマイコン制御装置の動作が開始されて電子機器が電源ＯＮ状態となり、マイコン制御装置が電圧制御端子を０Ｖに短絡させた状態を保持して電源ＯＮ状態が維持される。また、前述したように、電源制御回路は、対応するメモリカードスロットにメモリカードを所定の挿入位置まで挿入した時点で、所定時間だけ電源装置の電圧制御端子を０Ｖに短絡させる回路構成を有している。そのため、電源制御回路の出力は、メモリカードスロットにメモリカードを挿入してから所定時間経過後は、メモリカードスロットにメモリカードが挿入されていない状態と同じ状態となる。つまり、１つのメモリカードスロットにメモリカードを挿入した状態である間も、他のメモリカードスロットに対応した他の電源制御回路によって電圧制御端子を制御することができる。したがって、例えば、１つのメモリカードスロットにメモリカードを挿入した状態のまま電源スイッチを操作して電子機器の電源をＯＦＦした状態で、他のメモリカードスロットにメモリカードを挿入することによって電子機器の電源をＯＮ状態にすることができる。
【００１４】
これにより、本発明の第２の態様に示した電子機器によれば、前述した第１の態様に示した発明による作用効果に加えて、１つのメモリカードスロットにメモリカードを挿入した状態である間も、他のメモリカードスロットに対応した他の電源制御回路によって電圧制御端子を制御することができるので、１つのメモリカードスロットにメモリカードを挿入した状態のまま電源スイッチを操作して電子機器の電源をＯＦＦした状態で、他のメモリカードスロットにメモリカードを挿入することによって電子機器の電源をＯＮ状態にすることができるという作用効果が得られる。
【００１５】
本発明の第３の態様は、前述した第１の態様又は第２の態様において、前記電源制御回路は、前記メモリカードスロットにメモリカードが挿入されている間、前記電源装置の出力電圧を出力するメモリカード検出回路と、該メモリカード検出回路の出力電圧を微分する微分回路と、該微分回路の出力電圧が一定の電圧以上である間、前記電圧制御端子を０Ｖに短絡する電源制御信号出力回路とを有している、ことを特徴とした電子機器である。
【００１６】
メモリカードスロットにメモリカードが挿入されている間、電源装置の出力電圧を出力するメモリカード検出回路の出力がコンデンサと抵抗とによる公知の微分回路によって微分される。メモリカード検出回路の出力がメモリカードの挿入時にメモリカード検出回路の出力が０Ｖから電源装置の出力電圧まで立ち上がり、メモリカードが挿入されている間は電源装置の出力電圧が維持されるのに対して、微分回路の出力は、メモリカードの挿入時に０Ｖから電源装置の出力電圧まで立ち上がり、その後、コンデンサの静電容量と抵抗によって決定されるコンデンサの放電電流値によって決まる放電時間でコンデンサに蓄えられている電気が放電される間、徐々に０Ｖまで低下していく。電源制御信号出力回路は、微分回路の出力電圧が一定の電圧以上である間、電圧制御端子を０Ｖに短絡するので、メモリカード検出回路の出力が０Ｖから電源装置の出力電圧まで立ち上がった時点から電源制御信号出力回路の出力が所定時間０Ｖに短絡されるように微分回路のコンデンサと抵抗の定数、及びその一定の電圧を設定することによって、メモリカードスロットにメモリカードを挿入した時点から所定時間、電源装置の電圧制御端子を０Ｖに短絡することができる。
【００１７】
本発明の第４の態様は、前述した第３の態様において、前記メモリカード検出回路は、コレクタが前記電源装置の出力電圧でプルアップされ、エミッタが０Ｖに接続されているメモリカード挿入状態出力用トランジスタを有し、前記メモリカードスロットにメモリカードが所定の挿入位置まで挿入されている間、前記メモリカード挿入状態出力用トランジスタは、ベース電流が遮断されてＯＦＦし、前記メモリカード挿入状態出力用トランジスタのコレクタのプルアップ電圧が前記微分回路へ出力される回路構成を有している、ことを特徴とした電子機器である。  
メモリカード挿入状態出力用トランジスタは、メモリカードスロットにメモリカードを挿入していない状態では、ベース電流が流れてＯＮしてコレクタの電圧が０Ｖになり、メモリカードスロットにメモリカードを所定の挿入位置まで挿入した状態では、ベース電流が遮断されてＯＦＦしてコレクタの電圧が電源装置の出力電圧となる。そして、メモリカード検出回路は、メモリカード挿入状態出力用トランジスタのコレクタの電圧が微分回路へ出力される構成を有しているので、メモリカードスロットにメモリカードが所定の挿入位置まで挿入されている間、電源装置の出力電圧を微分回路へ出力することができる。
【００１８】
本発明の第５の態様は、前述した第３の態様又は第４の態様において、前記電源制御信号出力回路は、コレクタが前記電源装置の出力電圧でプルアップされ、エミッタが０Ｖに接続されている電源制御信号出力用トランジスタを有し、前記微分回路の出力電圧が一定の電圧以上である間、前記電源制御信号出力用トランジスタは、ベース電流が流れてＯＮし、前記電源制御信号出力用トランジスタのコレクタにダイオードを介して接続されている前記電圧制御端子が０Ｖに短絡される回路構成を有している、ことを特徴とした電子機器である。  
電源制御信号出力用トランジスタは、微分回路の出力電圧が一定の電圧以上である間は、ベース電流が流れてＯＮしてコレクタの電圧が０Ｖになり、微分回路の出力電圧が一定の電圧未満である間は、ベース電流が遮断されてＯＦＦしてコレクタの電圧が電源装置の出力電圧となる。したがって、微分回路の出力電圧が一定の電圧以上となっている間、電源制御信号出力用トランジスタのコレクタにダイオードを介して接続されている電圧制御端子を０Ｖに短絡することができる。
【００１９】
本発明の第６の態様は、前述した第５の態様において、前記電源制御信号出力回路は、前記メモリカードスロットからメモリカードを引き抜く際に前記電源制御信号出力用トランジスタのベース電流が流れないように前記電源制御信号出力用トランジスタのベース電流の電流方向を一方向に規制する電流方向規制用ダイオードを有している、ことを特徴とした電子機器である。  
メモリカードスロットからメモリカードを引き抜くとメモリカード挿入状態出力用トランジスタのコレクタ電圧が電源装置の出力電圧から０Ｖに低下し、その際に、電源制御信号出力用トランジスタのベースから微分回路へ電流が流れて、電源制御信号出力用トランジスタのベースに負の電圧が発生し、それによって、電源制御信号出力用トランジスタが誤動作する可能性がある。そこで、電源制御信号出力用トランジスタのベース電流の電流方向を一方向に規制する電流方向規制用ダイオードを設けることによって、メモリカードスロットからメモリカードを引き抜く際に電源制御信号出力用トランジスタが誤動作する虞をなくすことができる。
【発明を実施するための最良の形態】
【００２０】
以下、本発明の実施の形態を図面に基づいて説明する。  
図１は、本発明に係る電子機器の電源制御回路を示した回路図である。以下、図１を参照しながら本発明に係る電子機器の電源制御回路の構成について説明する。  
電子機器１５０は、電源装置１０、電源スイッチＰＳ、ＤＣ−ＤＣコンバータ２０、及びマイコン制御装置１００を備えている。電源装置１０は、公知の定電圧スイッチング電源装置であり、入力された交流電圧を直流電圧に変換して出力する構成を成している。電源装置１０は、直流電圧が出力される端子Ｖ＋と、ＧＮＤとなる端子ＧＮＤと、電圧制御端子ＰＣとを備えており、電圧制御端子ＰＣをＧＮＤに短絡すると端子Ｖ＋と端子ＧＮＤとの間には、「定格電圧」としての４２Ｖ（以下、定格電圧４２Ｖとする）の直流電圧が出力され、電圧制御端子ＰＣをハイインピーダンスにすると端子Ｖ＋と端子ＧＮＤとの間には、「待機電圧」としての約３Ｖ（以下、待機電圧３Ｖとする）の直流電圧が出力される。ＤＣ−ＤＣコンバータ２０は、電源装置１０が出力する定格電圧４２Ｖの直流電圧を５Ｖの直流電圧に変換してマイコン制御装置１００へ供給する。ＤＣ−ＤＣコンバータ２０は、定格電圧４２Ｖで動作し、電源装置１０の出力電圧が待機電圧３Ｖまで低下している状態では停止し、マイコン制御装置１００へ直流電圧５Ｖが供給されなくなり、マイコン制御装置１００が停止する。マイコン制御装置１００は、マイクロコンピュータ及びその周辺回路等を備え、マイクロコンピュータにて電子機器１５０の制御プログラムを実行して電子機器１５０の制御を行う公知の制御装置である。電源スイッチＰＳは、操作時のみ構成される接点回路を有する押しボタン式のモーメンタリスイッチであり、図示の如く電源装置１０の電圧制御端子ＰＣとＧＮＤとの間にダイオードＤ３を介して接続されている。電源スイッチＰＳを操作していない状態（押していない状態）では、電源スイッチＰＳの接点か構成されないので、電圧制御端子ＰＣがハイインピーダンスとなり、電源スイッチＰＳを操作している間（押している間）、電源スイッチＰＳの接点が構成されて電圧制御端子ＰＣがＧＮＤ（０Ｖ）に短絡される。
【００２１】
マイコン制御装置１００は、電源スイッチＰＳの操作状態を検出するための「電源スイッチ操作検出手段」としての接点入力ポートＩＰと、電圧制御端子ＰＣを制御して電源装置１０の出力電圧を制御する「電源電圧制御手段」としての制御出力ポートＯＰとを有している。電子機器１５０の電源がＯＦＦの状態から電源スイッチＰＳが所定時間以上押されると、押されている間だけ電源装置１０の電圧制御端子ＰＣが電源スイッチＰＳの接点を介してＧＮＤに短絡され、電圧制御端子ＰＣの電圧が０Ｖになる。電源スイッチが押されている間に、電源装置１０の出力電圧が待機電圧３Ｖから定格電圧４２Ｖまで上昇し、停止していたＤＣ−ＤＣコンバータ２０が動作してマイコン制御装置１００に５Ｖの直流電圧が供給されてマイコン制御装置１００が動作し始め、マイコン制御装置１００は、故障診断等の所定の初期制御手順を実行した後、電子機器１５０の制御が可能な状態になった時点で制御出力ポートＯＰをＬｏｗにして電圧制御端子ＰＣを０Ｖに保持する。マイコン制御装置１００によって電源制御端子ＰＣが０Ｖに保持された後は、電源スイッチＰＳが押されていない状態になってもマイコン制御装置１００によって電源制御端子ＰＣが０Ｖに保持されているので、電源装置１０の出力電圧が定格電圧４２Ｖのまま維持され、電子機器１５０の電源ＯＮ状態が維持される。また、電子機器１５０の電源がＯＮの状態から電源スイッチＰＳが再び所定時間以上押されると、マイコン制御装置１００は、接点入力ポートＩＰを介して電源スイッチＰＳが押されたことを検出して、電圧制御端子ＰＣをＬｏｗ（０Ｖ）に保持している制御出力ポートＯＰをハイインピーダンスにする。電圧制御端子ＰＣがハイインピーダンスとなり、電源装置１０の出力電圧が定格電圧４２Ｖから待機電圧３Ｖまで低下する。ＤＣ−ＤＣコンバータ２０からマイコン制御装置１００へ直流電圧５Ｖが供給されなくなり、マイコン制御装置１００が停止して、電子機器１５０の電源がＯＦＦ状態となる。
【００２２】
また、電子機器１５０は、第１のメモリカードスロット５と第１のメモリカードスロット５に対応した第１の電源制御回路１、並びに第２のメモリカードスロット１５と第２のメモリカードスロット１５に対応した第２の電源制御回路１１を備えている。第１のメモリカードスロット５は、第１のメモリカードスロット５に挿入されたメモリカードに格納されている電子データを読み込む手段を有するとともに、メモリカードが所定の挿入位置まで挿入された際に接点が構成される第１のカードディテクト端子ＣＤ１を有している。同様に、第２のメモリカードスロット１５は、第２のメモリカードスロット１５に挿入されたメモリカードに格納されている電子データを読み込む手段を有するとともに、メモリカードが所定の挿入位置まで挿入された際に接点が構成される第２のカードディテクト端子ＣＤ１１を有している。第１の電源制御回路１及び第２の電源制御回路１１は、電源装置１０が出力する待機電圧３Ｖ以上の電圧で動作し、つまり、電子機器１５０の電源がＯＮの場合でもＯＦＦの場合でも動作し、メモリカードが所定の挿入位置まで挿入された時点から所定時間だけ電圧制御端子ＰＣをＧＮＤ（０Ｖ）に短絡する回路構成を有している。
【００２３】
第１の電源制御回路１は、第１のメモリカードスロット５にメモリカードが挿入されている間、電源装置１０の出力電圧を出力する第１のメモリカード検出回路２と、第１のメモリカード検出回路の出力電圧を微分する第１の微分回路３と、第１の微分回路の出力電圧が一定の電圧以上である間、電圧制御端子ＰＣを０Ｖに短絡する第１の電源制御信号出力回路４とを有している。
【００２４】
第１のメモリカード検出回路２は、第１のメモリカード挿入状態出力用トランジスタＱ１を有している。第１のメモリカード挿入状態出力用トランジスタＱ１は、コレクタが抵抗Ｒ２を介して電源装置１０の出力電圧でプルアップされており、エミッタがＧＮＤに接続されている。第１のメモリカード挿入状態出力用トランジスタＱ１のベースには、電源装置１０の出力電圧が抵抗Ｒ１を介して印加されており、抵抗Ｒ１によって電流が制限されて適切なベース電流が流れるようになっている。また、第１のメモリカード検出回路２は、第１のカードディテクト端子ＣＤ１の接点が第１のメモリカード挿入状態出力用トランジスタＱ１のベースとＧＮＤとの間に接続されている。第１のカードディテクト端子ＣＤ１の接点が構成されていない状態、つまり、第１のメモリカードスロット５にメモリカードが挿入されていない状態では、第１のメモリカード挿入状態出力用トランジスタＱ１は、ベース電流が流れてＯＮし、コレクタがＧＮＤに短絡されてコレクタの電圧が０Ｖになる。一方、第１のカードディテクト端子ＣＤ１の接点が構成されている状態、つまり、第１のメモリカードスロット５にメモリカードが挿入されている状態では、第１のメモリカード挿入状態出力用トランジスタＱ１は、ベース電流が流れなくなってＯＦＦし、コレクタの電圧が電源装置１０の出力電圧になる。第１の微分回路３は、コンデンサＣ１と抵抗Ｒ３とで図示の如く構成された公知の微分回路である。第１のメモリカード挿入状態出力用トランジスタＱ１のコレクタの電圧が第１の微分回路３で微分されて第１の電源制御信号出力回路４へ出力される。
【００２５】
第１の電源制御信号出力回路４は、第１の電源制御信号出力用トランジスタＱ２を有している。第１の電源制御信号出力用トランジスタＱ２は、コレクタが抵抗Ｒ４を介して電源装置１０の出力電圧でプルアップされ、エミッタがＧＮＤに接続されている。第１の電源制御信号出力用トランジスタＱ２のベースには、第１の微分回路３の出力電圧が入力され、第１の微分回路３の出力電圧が一定の電圧以上である間、第１の電源制御信号出力用トランジスタＱ２は、ベース電流が流れてＯＮし、第１の電源制御信号出力用トランジスタＱ２のコレクタにダイオードＤ２を介して接続されている電圧制御端子ＰＣが０Ｖに短絡される。また、第１の電源制御信号出力回路４は、第１の電源制御信号出力用トランジスタＱ２のベースと、第１の微分回路３との間に第１の電流方向規制用ダイオードＤ１が設けられている。第１の電流方向規制用ダイオードＤ１は、第１のメモリカードスロット５からメモリカードを引き抜く際に第１の電源制御信号出力用トランジスタＱ２のベースにエミッタ側から流れて第１の電源制御信号出力用トランジスタＱ２が誤動作しないように、第１の電源制御信号出力用トランジスタＱ２のベースの電流方向をベースからエミッタへの一方向に規制する。
【００２６】
このように、第１の電源制御回路１は、電源装置１０の出力電圧が定格電圧４２Ｖであっても待機電圧３Ｖであっても動作し、第１のメモリカードスロット５にメモリカードが所定の挿入位置まで挿入されたことを検出することができる回路構成を有している。また、第１の電源制御回路１は、第１のメモリカードスロット５にメモリカードが所定の挿入位置まで挿入された時点から所定時間だけ電圧制御端子ＰＣを０Ｖに短絡する回路構成を有している。つまり、電源装置１０の出力電圧が待機電圧３Ｖでマイコン制御装置１００が停止している状態において、電源スイッチＰＳを所定時間だけ操作すると、電圧制御端子ＰＣが０Ｖに短絡されて電源装置１０の出力電圧が定格電圧４２Ｖに切り換わるのと同様に、第１のメモリカードスロット５にメモリカードが所定の挿入位置まで挿入すると、電圧制御端子ＰＣが０Ｖに短絡されて電源装置１０の出力電圧が定格電圧４２Ｖに切り換わる。そして、電源装置１０の出力電圧が定格電圧４２Ｖに切り換わった後は、電源スイッチＰＳを所定時間操作した場合と同様に、マイコン制御装置１００が定格電圧４２Ｖで動作を開始し、電圧制御端子ＰＣを０Ｖに短絡させた状態で保持する。その後、第１のメモリカードスロット５にメモリカードが所定の挿入位置まで挿入された時点から所定時間が経過し、電圧制御端子ＰＣが第１の電源制御回路１によって０Ｖに短絡されない状態になるが、マイコン制御装置１００によって電圧制御端子ＰＣが０Ｖに短絡した状態が保持される。それによって、電源装置１０の出力電圧が定格電圧４２Ｖで維持され、マイコン制御装置１００も動作し続けることになる。
【００２７】
第２の電源制御回路１１は、第２のメモリカードスロット１５にメモリカードが挿入されている間、電源装置１０の出力電圧を出力する第２のメモリカード検出回路１２と、第２のメモリカード検出回路の出力電圧を微分する第２の微分回路１３と、第２の微分回路の出力電圧が一定の電圧以上である間、電圧制御端子ＰＣを０Ｖに短絡する第２の電源制御信号出力回路１４とを有している。
【００２８】
第２のメモリカード検出回路１２は、第２のメモリカード挿入状態出力用トランジスタＱ１１を有している。第２のメモリカード挿入状態出力用トランジスタＱ１１は、コレクタが抵抗Ｒ１２を介して電源装置１０の出力電圧でプルアップされており、エミッタがＧＮＤに接続されている。第２のメモリカード挿入状態出力用トランジスタＱ１１のベースには、電源装置１０の出力電圧が抵抗Ｒ１１を介して印加されており、抵抗Ｒ１１によって電流が制限されて適切なベース電流が流れるようになっている。また、第２のメモリカード検出回路１２は、第２のカードディテクト端子ＣＤ１１の接点が第２のメモリカード挿入状態出力用トランジスタＱ１１のベースとＧＮＤとの間に接続されている。第２のカードディテクト端子ＣＤ１１の接点が構成されていない状態、つまり、第２のメモリカードスロット１５にメモリカードが挿入されていない状態では、第２のメモリカード挿入状態出力用トランジスタＱ１１は、ベース電流が流れてＯＮし、コレクタがＧＮＤに短絡されてコレクタの電圧が０Ｖになる。一方、第２のカードディテクト端子ＣＤ１１の接点が構成されている状態、つまり、第２のメモリカードスロット１５にメモリカードが挿入されている状態では、第２のメモリカード挿入状態出力用トランジスタＱ１１は、ベース電流が流れなくなってＯＦＦし、コレクタの電圧が電源装置１０の出力電圧になる。第２の微分回路１３は、コンデンサＣ１１と抵抗Ｒ１３とで図示の如く構成された公知の微分回路である。第２のメモリカード挿入状態出力用トランジスタＱ１１のコレクタの電圧が第２の微分回路１３で微分されて第２の電源制御信号出力回路１４へ出力される。
【００２９】
第２の電源制御信号出力回路１４は、第２の電源制御信号出力用トランジスタＱ１２を有している。第２の電源制御信号出力用トランジスタＱ１２は、コレクタが抵抗Ｒ１４を介して電源装置１０の出力電圧でプルアップされ、エミッタがＧＮＤに接続されている。第２の電源制御信号出力用トランジスタＱ１２のベースには、第２の微分回路１３の出力電圧が入力され、第２の微分回路１３の出力電圧が一定の電圧以上である間、第２の電源制御信号出力用トランジスタＱ１２は、ベース電流が流れてＯＮし、第２の電源制御信号出力用トランジスタＱ１２のコレクタにダイオードＤ１２を介して接続されている電圧制御端子ＰＣが０Ｖに短絡される。また、第２の電源制御信号出力回路１４は、第２の電源制御信号出力用トランジスタＱ１２のベースと、第２の微分回路１３との間に第２の電流方向規制用ダイオードＤ１１が設けられている。第２の電流方向規制用ダイオードＤ１１は、第２のメモリカードスロット１５からメモリカードを引き抜く際に第２の電源制御信号出力用トランジスタＱ１２のベースにエミッタ側から流れて第２の電源制御信号出力用トランジスタＱ１２が誤動作しないように、第２の電源制御信号出力用トランジスタＱ１２のベースの電流方向をベースからエミッタへの一方向に規制する。
【００３０】
このように、第２の電源制御回路１１は、第１の電源制御回路１と全く同じ回路構成で第１の電源制御回路１と同様に、電源装置１０の出力電圧が定格電圧４２Ｖであっても待機電圧３Ｖであっても動作し、第２のメモリカードスロット１５にメモリカードが所定の挿入位置まで挿入されたことを検出することができる回路構成を有している。また、第２の電源制御回路１１は、第２のメモリカードスロット１５にメモリカードが所定の挿入位置まで挿入された時点から所定時間だけ電圧制御端子ＰＣを０Ｖに短絡する回路構成を有している。つまり、電源装置１０の出力電圧が待機電圧３Ｖでマイコン制御装置１００が停止している状態において、電源スイッチＰＳを所定時間だけ操作すると、電圧制御端子ＰＣが０Ｖに短絡されて電源装置１０の出力電圧が定格電圧４２Ｖに切り換わるのと同様に、第２のメモリカードスロット１５にメモリカードが所定の挿入位置まで挿入すると、電圧制御端子ＰＣが０Ｖに短絡されて電源装置１０の出力電圧が定格電圧４２Ｖに切り換わる。そして、電源装置１０の出力電圧が定格電圧４２Ｖに切り換わった後は、電源スイッチＰＳを所定時間操作した場合と同様に、マイコン制御装置１００が定格電圧４２Ｖで動作を開始し、電圧制御端子ＰＣを０Ｖに短絡させた状態で保持する。その後、第２のメモリカードスロット１５にメモリカードが所定の挿入位置まで挿入された時点から所定時間が経過し、電圧制御端子ＰＣが第２の電源制御回路１１によって０Ｖに短絡されない状態になるが、マイコン制御装置１００によって電圧制御端子ＰＣが０Ｖに短絡した状態が保持される。それによって、電源装置１０の出力電圧が定格電圧４２Ｖで維持され、マイコン制御装置１００も動作し続けることになる。そして、電圧制御端子ＰＣには、電源スイッチＰＣがダイオードＤ３を介して、第１の電源制御回路１がダイオードＤ２を介して、第２の電源制御回路１１がダイオードＤ１２を介して並列に接続されている。
【００３１】
次に、上述した本発明に係る電子機器１５０の電源制御回路の動作について、図２に示したタイミングチャートも参照しながらさらに説明する。  
図２は、本発明に係る電子機器１５０の電源制御回路のタイミングチャートであり、図１中の符号Ａ〜Ｅで示した部分の電圧、電源制御端子ＰＣの電圧、電源スイッチＰＳの接点状態、及び電子機器１５０の電源のＯＮ／ＯＦＦ状態を示したものである。
【００３２】
まず、電子機器１５０の電源がＯＦＦの状態で第１のメモリカードスロット５に所定の挿入位置までメモリカードを挿入すると（タイミングＴ１）、第１のカードディテクト端子ＣＤ１の接点が構成され、第１のメモリカード挿入状態出力用トランジスタＱ１は、ベース電流が流れなくなってＯＦＦし、第１のメモリカード挿入状態出力用トランジスタＱ１のコレクタの電圧（符号Ａ）が０Ｖから電源装置１０の出力電圧まで上昇する。第１のメモリカード挿入状態出力用トランジスタＱ１のコレクタの電圧が第１の微分回路３で微分されて第１の電源制御信号出力回路４へ出力される。第１の微分回路３の出力は、メモリカードの挿入時に０Ｖから電源装置１０の出力電圧まで立ち上がり、その後、コンデンサＣ１の静電容量と抵抗Ｒ３の抵抗値によって決定されるコンデンサＣ１の放電電流値によって決まる放電時間でコンデンサＣ１に蓄えられている電気が放電される間、徐々に０Ｖまで低下していく（符号Ｂ）。第１の微分回路３の出力は、ダイオードＤ１を介して第１の電源制御信号出力回路４へ出力され（符号Ｃ）、第１の電源制御信号出力回路４は、第１の微分回路３の出力電圧が一定の電圧以上である間、電圧制御端子ＰＣを０Ｖに短絡する（符号Ｄ）。電圧制御端子ＰＣが０Ｖに短絡されることによって、電源装置１０の出力電圧が待機電圧３Ｖから定格電圧４２Ｖへ上昇し、マイコン制御装置１００にＤＣ−ＤＣコンバータ２０から直流電圧５Ｖが供給されてマイコン制御装置１００が動作し、電子機器１５０の電源がＯＮ状態となる。マイコン制御装置１００の動作開始後は、マイコン制御装置１００の制御出力ポートＯＰが０Ｖに保持されることによって、第１の電源制御信号出力用トランジスタＱ２がＯＦＦした後も電源制御端子ＰＣが０Ｖに維持され、電源装置１０の出力電圧が定格電圧４２Ｖに維持され、電子機器１５０の電源ＯＮ状態が維持される。
【００３３】
つづいて、第１のメモリカードスロット５にメモリカードを挿入した状態のまま、電源スイッチＰＳが押されると（タイミングＴ２）、マイコン制御装置１００は、接点入力ポートＩＰを介して電源スイッチＰＳが押されたことを検出して、制御出力ポートＯＰをハイインピーダンスにする。それによって、電圧制御端子ＰＣがハイインピーダンスとなり、電源装置１０の出力電圧が定格電圧４２Ｖから待機電圧３Ｖまで低下する。ＤＣ−ＤＣコンバータ２０からマイコン制御装置１００へ直流電圧５Ｖが供給されなくなり、マイコン制御装置１００が停止して、電子機器１５０の電源がＯＦＦ状態となる。
【００３４】
つづいて、第１のメモリカードスロット５にメモリカードを挿入した状態のまま、電子機器１５０の電源がＯＦＦしている状態から第２のメモリカードスロット１５にメモリカードを所定の挿入位置まで挿入すると（タイミングＴ３）、第２のカードディテクト端子ＣＤ１１の接点が構成され、第２のメモリカード挿入状態出力用トランジスタＱ１１は、ベース電流が流れなくなってＯＦＦし、第２のメモリカード挿入状態出力用トランジスタＱ１１のコレクタの電圧（符号Ｅ）が０Ｖから電源装置１０の出力電圧まで上昇する。第２の微分回路１３の出力は、ダイオードＤ１１を介して第２の電源制御信号出力回路１４へ出力され、第２の電源制御信号出力回路１４は、第２の微分回路１３の出力電圧が一定の電圧以上である間、電圧制御端子ＰＣを０Ｖに短絡する（符号Ｆ）。電圧制御端子ＰＣが０Ｖに短絡されることによって、電源装置１０の出力電圧が待機電圧３Ｖから定格電圧４２Ｖへ上昇し、マイコン制御装置１００にＤＣ−ＤＣコンバータ２０から直流電圧５Ｖが供給されてマイコン制御装置１００が動作し、電子機器１５０の電源がＯＮ状態となる。マイコン制御装置１００の動作開始後は、マイコン制御装置１００の制御出力ポートＯＰが０Ｖに保持されることによって、第２の電源制御信号出力用トランジスタＱ１２がＯＦＦした後も電源制御端子ＰＣが０Ｖに維持され、電源装置１０の出力電圧が定格電圧４２Ｖに維持され、電子機器１５０の電源ＯＮ状態が維持される。
【００３５】
第１のメモリカードスロット５、及び第２のメモリカードスロット１５の両方にメモリカードが挿入されて電子機器１５０の電源がＯＮとなっている状態から第１のメモリカードスロット５に挿入されているメモリカードを引き抜くと（タイミングＴ４）、第１の微分回路３の出力に負電圧が発生する（符号Ｂ）。それによって、第１の電源制御信号出力用トランジスタＱ２のベースに逆方向の電流が流れようとするが、ダイオードＤ１によって第１の電源制御信号出力用トランジスタＱ２のベース電流の方向が規制されているので、第１の電源制御信号出力用トランジスタＱ２はＯＦＦしたままとなり、第１の電源制御信号出力用トランジスタＱ２のコレクタ電圧は、電源装置１０の出力電圧に維持される（符号Ｄ）。したがって、第１のメモリカードスロット５に挿入されているメモリカードを引き抜いても電子機器１５０の電源ＯＮ状態がそのまま維持される。
【００３６】
第２のメモリカードスロット１５にメモリカードが挿入されて電子機器１５０の電源がＯＮとなっている状態から電源スイッチＰＳが押されると（タイミングＴ５）、マイコン制御装置１００は、接点入力ポートＩＰを介して電源スイッチＰＳが押されたことを検出して、制御出力ポートＯＰをハイインピーダンスにする。電圧制御端子ＰＣがハイインピーダンスとなり、電源装置１０の出力電圧が定格電圧４２Ｖから待機電圧３Ｖまで低下する。ＤＣ−ＤＣコンバータ２０からマイコン制御装置１００へ直流電圧５Ｖが供給されなくなり、マイコン制御装置１００が停止して、電子機器１５０の電源がＯＦＦ状態となる。
【００３７】
つづいて、再度電源スイッチＰＳが所定時間以上押されると（タイミングＴ６）、押されている間だけ電源装置１０の電圧制御端子ＰＣが電源スイッチＰＳの接点を介してＧＮＤに短絡され、電源装置１０の出力電圧が待機電圧３Ｖから定格電圧４２Ｖまで上昇する。停止していたＤＣ−ＤＣコンバータ２０が動作してマイコン制御装置１００に５Ｖの直流電圧が供給されてマイコン制御装置１００が動作し始め、マイコン制御装置１００は、制御出力ポートＯＰをＬｏｗにして電圧制御端子ＰＣを０Ｖに保持する。電源装置１０の出力電圧が定格電圧４２Ｖのまま維持され、電子機器１５０の電源ＯＮ状態が維持される。
【００３８】
この状態から第２のメモリカードスロット１５のメモリカードを引き抜くと（タイミングＴ７）、第２の微分回路１３の出力に負電圧が発生し、それによって、第２の電源制御信号出力用トランジスタＱ１２のベースに逆方向の電流が流れようとするが、ダイオードＤ１１によって第２の電源制御信号出力用トランジスタＱ１２のベース電流の方向が規制されているので、第２の電源制御信号出力用トランジスタＱ１２はＯＦＦしたままとなり、第２の電源制御信号出力用トランジスタＱ１２のコレクタ電圧は、電源装置１０の出力電圧に維持される（符号Ｆ）。したがって、第２のメモリカードスロット１５のメモリカードを引き抜いても電子機器１５０の電源ＯＮ状態がそのまま維持される。
【００３９】
そして、第１のメモリカードスロット５、及び第２のメモリカードスロット１５の両方にメモリカードが挿入されていない状態で、再度電源スイッチＰＳが所定時間押されると（タイミングＴ８）、マイコン制御装置１００は、接点入力ポートＩＰを介して電源スイッチＰＳが押されたことを検出して、制御出力ポートＯＰをハイインピーダンスにする。電圧制御端子ＰＣがハイインピーダンスとなり、電源装置１０の出力電圧が定格電圧４２Ｖから待機電圧３Ｖまで低下する。ＤＣ−ＤＣコンバータ２０からマイコン制御装置１００へ直流電圧５Ｖが供給されなくなり、マイコン制御装置１００が停止して、電子機器１５０の電源がＯＦＦ状態となる。
【００４０】
このようにして、電子機器１５０の電源ＯＦＦ時の消費電力が極めて小さく、かつ電子機器１５０の電源ＯＦＦ時に第１のメモリカードスロット５又は第２のメモリカードスロット１５へメモリカードを挿入することによって、電子機器１５０の電源がＯＮ状態になるようにすることができる。また、第１のメモリカードスロット５又は第２のメモリカードスロット１５のいずれか一方にメモリカードが挿入されて電子機器１５０の電源がＯＦＦされている状態でも、他方にメモリカードを挿入することによって電子機器１５０の電源をＯＮ状態にすることができる。
【００４１】
尚、当該実施の形態に示した電子機器１５０は、第１のメモリカードスロット５及び第２のメモリカードスロット１５の２つのメモリカードスロットを備えているが、第１のメモリカードスロット５のみとしても良く、逆に、第３のメモリカードスロット、第４のメモリカードスロット、或いは、さらにそれ以上のメモリカードスロットを設けた構成としても良く、そのような態様の電子機器１５０であっても本発明の実施は可能であり、本発明による作用効果を得ることができるのは言うまでもないことである。そして、本発明は上記実施例に限定されることなく、特許請求の範囲に記載した発明の範囲内で、種々の変形が可能であり、それらも本発明の範囲内に含まれるものであることは言うまでもない。
【産業上の利用可能性】
【００４２】
本発明は、メモリカードスロットを備えたあらゆる電子機器において実施可能であり、メモリカードスロットを備えたあらゆる電子機器に本発明による作用効果をもたらすことが可能である。
【図面の簡単な説明】
【００４３】
【図１】本発明に係る電子機器の電源制御回路を示した回路図である。
【図２】本発明に係る電子機器の電源制御回路のタイミングチャートである。
【符号の説明】
【００４４】
１  第１の電源制御回路、２  第１のメモリカード検出回路、３  第１の微分回路、４  第１の電源制御信号出力回路、５  第１のメモリカードスロット、１０  電源装置、１１  第２の電源制御回路、１２  第２のメモリカード検出回路、１３  第２の微分回路、１４  第２の電源制御信号出力回路、１５  第２のメモリカードスロット、２０  ＤＣ−ＤＣコンバータ、１００  マイコン制御回路、ＣＤ１  第１のカードディテクト端子、ＣＤ１１  第２のカードディテクト端子、ＰＣ  電源制御端子、ＰＳ  電源スイッチ
【図１】
2005165801.tif 000003
【図２】
2005165801.tif 000004